(57)【特許請求の範囲】
【請求項１】
撮影画像を表示する表示部を備えた撮像装置において、
前記表示装置の表面に配置されているタッチパネルと、
前記タッチパネル上で操作者が操作する触指状態を検出する検出部と、
前記検出部からの２点の端点位置と触指軌跡を判別する制御部を有し、
前記制御部は触指開始位置と触指終了位置との２点の座標が対角を示すのに基づく矩形領域と触指軌跡とを、予め決められているゼスチャ動作と対比して該矩形領域に対して予め設定されている撮像およびまたは再生操作内容を実行することを特徴とする撮像装置。
【請求項２】
請求項１記載の撮像装置において、
前記制御部は、触指開始位置と触指終了位置との２点の座標が対角を示すのに基づき矩形領域を指定し、触指終了の書き出し軌跡が右上、右下、左上、左下のうちのいずれかであるかを判別することにより４種類の操作を実行することを特徴とする撮像装置。
【請求項３】
撮影画像を表示する表示部を備えた撮像装置において、
前記表示装置の表面に配置されているタッチパネルと、
前記タッチパネル上で操作者が操作する触指状態を検出する検出部と、
前記検出部からの端点と角を示す２点を加えた４点を一筆書きによる３本の線で指定される触指軌跡を判別する制御部を有し、
前記制御部は４点の位置で指定される閉じた領域と、触指軌跡がＺ形、これの逆形、Ｎ形、これの逆形のいずれのゼスチャ動作であるかを判別することにより決定される４種類の撮像およびまたは再生操作内容を実行することを特徴とする撮像装置。
【請求項４】
請求項１乃至３のいずれかに記載の撮像装置において、
前記制御部は、ゼスチャ動作により判断する操作項目および領域として、撮影時、重点的にピント、露出、ホワイトバランス、ズームアップ操作のいずれか或いは全部の項目を組み合せて実施する領域に相当させていることを特徴とする撮像装置。
【請求項５】
請求項１乃至３のいずれかに記載の撮像装置において、
前記制御部が、触指軌跡を予め決められているゼスチャ動作と対比して、該予め決められているゼスチャ動作に該当しないと判断したときは、領域指定のみを実行することを特徴とする撮像装置。
【発明の詳細な説明】
【０００１】
【発明が属する技術分野】
本発明は、撮像装置に関し、さらに詳しくは、撮像装置の一つであるデジタルカメラに適用されるタッチパネルでの触指状態を判別して操作内容を設定するための構成に関する。
【０００２】
【従来の技術】
撮影装置であるカメラには、銀塩フィルムを用いるものやこのフィルムを用いないで撮影画像を電子的・磁気的に記録保存できるデジタルカメラがある。
デジタルカメラは、撮影対象の視認のためのファインダを設けるほかに、撮影画像の確認や撮影モードなどの設定が行える液晶画面を備えることが多い。
【０００３】
液晶画面を用いるデジタルカメラにおいては、撮影モードや撮影条件の入力スイッチを設ける代わりに、液晶画面の表面にタッチパネルを配備し、タッチパネルでの手書き文字入力や液晶画面の表示内容、例えばアイコンなどを選択することにより入力操作部、いわゆる、グラフィカル・ユーザ・インターフェース（ＧＵＩ）として用いる構成が提案されている
タッチパネルを用いて撮影モードや表示条件を入力するための構成として、液晶画面に表示された撮影対象の位置を指やペンなどによりタッチパネルの該当位置を押圧したり、あるいは該当位置の押圧に加えてその範囲をなぞることにより撮影に必要な操作が選択できるようにした構成が提案されている（例えば、特開平１１−１３６５６８号公報）。
上記公報においては、撮影モードあるいは表示条件の入力形式を選択するためにタッチパネルを押圧する動作と撮影対称の位置を指定するためにタッチパネルを押圧あるいはなぞる動作とを行うことにより、露光、ズーミングさらにはフォーカシングなどの操作が実行できる構成が開示されている。
【０００４】
【発明が解決しようとする課題】
上記公報に開示されている構成においては、タッチパネルの操作手順として２回の押圧動作が必要となることから、順序の違いによっては操作の選択が行えなくなったりあるいは何度かタッチパネルに触れなければならず、繁雑な動作となる虞がある。
【０００５】
本発明の目的は、上記従来のタッチパネル付きカメラなどの撮像装置における問題に鑑み、操作性において利便性が確保できる構成を備えたタッチパネル付きカメラを提供することにある。
【０００６】
【課題を解決するための手段】
請求項１記載の発明は、撮影画像を表示する表示部を備えた撮像装置において、前記表示装置の表面に配置されているタッチパネルと、前記タッチパネル上で操作者が操作する触指状態を検出する検出部と、前記検出部からの２点の端点位置と触指軌跡を判別する制御部を有し、前記制御部は触指開始位置と触指終了位置との２点の座標が対角を示すのに基づく矩形領域と触指軌跡とを、予め決められているゼスチャ動作と対比して該矩形領域に対して予め設定されている撮像およびまたは再生操作内容を実行することを特徴としている。
【０００７】
請求項２記載の発明は、前記制御部は、触指開始位置と触指終了位置との２点の座標が対角を示すのに基づき矩形領域を指定し、触指終了の書き出し軌跡が右上、右下、左上、左下のうちのいずれかであるかを判別することにより４種類の操作を実行することを特徴としている。
【０００８】
請求項３記載の発明は、撮影画像を表示する表示部を備えた撮像装置において、前記表示装置の表面に配置されているタッチパネルと、前記タッチパネル上で操作者が操作する触指状態を検出する検出部と、前記検出部からの端点と角を示す２点を加えた４点を一筆書きによる３本の線で指定される触指軌跡を判別する制御部を有し、前記制御部は４点の位置で指定される閉じた領域と、触指軌跡がＺ形、これの逆形、Ｎ形、これの逆形のいずれのゼスチャ動作であるかを判別することにより決定される４種類の撮像およびまたは再生操作内容を実行することを特徴としている。
【０００９】
請求項４記載の発明は、請求項１乃至３のいずれかに記載の撮像装置において、前記制御部は、ゼスチャ動作により判断する操作項目および領域として、撮影時、重点的にピント、露出、ホワイトバランス、ズームアップ操作のいずれか或いは全部の項目を組み合せて実施する領域に相当させていることを特徴としている。
【００１０】
請求項５記載の発明は、請求項１乃至３のいずれかに記載の撮像装置において、前記制御部が、触指軌跡を予め決められているゼスチャ動作と対比して、該予め決められているゼスチャ動作に該当しないと判断したときは、領域指定のみを実行することを特徴としている。
【００１２】
【発明の実施の形態】
以下、図面により本発明の実施の形態を説明する。
図１は、本発明の実施家板による撮像装置の一つとしてタッチパネル付きカメラを対象としたシステム構成を説明するためのブロック図であり、同図において、タッチパネル付きカメラ１は、主に、システム制御部２，撮像部３，画像処理部４，記憶メディア５，表示装置６，液晶パネル（ＬＣＤ）７，タッチパネル処理部８および入力部９を備えている。
システム制御部２は、詳細を図示しないがカメラ全体の制御を実行するためのＣＰＵ、メモリおよびタイマーなどを備えて構成されており、撮像部３は、撮影に用いられるレンズおよびレンズ駆動部（モータ），ＣＣＤおよびＣＣＤ駆動回路、Ａ／Ｄ変換器などを備えて構成されている。
【００１３】
画像処理部４は、撮像部３において得られた画像情報信号を基に種々の画像処理を施すと共に撮像部３でのＣＣＤ駆動タイミング、レンズ駆動部（モータ）を制御してフォーカシングや倍率機能、露出（露光）調整さらには画像の圧縮伸長を行う機能を備えたコントローラおよびメモリで構成されている。
記憶メディア５は、画像処理部４で処理された画像情報や画像にまつわる種々情報を記憶するためのフラッシュメモリやスマートメディアなどが用いられてカメラ本体から着脱可能な構成とされている。
【００１４】
表示装置６は、画像処理部４において処理された画像信号を液晶パネル７に表示するための信号処理を行うとともに、ユーザインターフェースのための種々のグラフィック画像を生成して液晶パネル７に表示するためのＤ／Ａ変換器、オンスクリーンディスプレイコントローラなどを備えて構成されている。
【００１５】
タッチパネル処理部８は、ペンあるいは指による押圧接触（以下、便宜上、触指と表現する）による座標位置を割り出すことができるタッチパネルを備え、その座標データの入力データをシステム制御部２に出力できる構成を備えている。
入力部９は、デジタルカメラのオンオフ制御およびシャッターなどのをはじめとする機能の操作が可能なスイッチ類を備えて構成されている。
【００１６】
タッチパネル処理部８は、システム制御部２と連携してタッチパネル上での触指状態に基づき、撮影に必要な操作を設定するようになっている。操作の設定のために必要なモードは、システム制御部２において予め決められているゼスチャ動作を基準として判別されるが、触指状態とゼスチャ動作との対比による操作モードを認識する手順は次の通りである。
（１）タッチパネル上での触指状態に対応した座標データをシステム制御部２に転送し、連続して入力される座標データ上での領域が指定された場合にその指定領域を判断すると共に領域指定の際の触指状態が予め決められているゼスチャ動作に整合するかを対比判別し、領域指定およびこの指定手順とゼスチャ動作との対比を組み合わせて予め設定されている操作内容であることを認識した場合に該当する操作を決定してその操作と同じ処理を実行する。
（２）タッチパネル上での触指開始位置と触指終了位置との２点の座標が対角を示すのに基づき矩形領域を指定する対角指定モードが選択された場合、あるいは閉じた矩形領域を指定する閉じ矩形モードが選択された場合には、最終的に確定する触指位置の矩形書き出し座標が右上、右下、左上、左下のうちのいずれの角（隅）であるかを判別することにより、若しくは最終的に確定する矩形の触指位置が矩形領域のどの角（隅）であるかを判別することにより４種類の操作を識別して実行する。なお、本実施形態では対角を含む矩形として４個の角を有する形状を例示したが、本発明では、この角数に特定しないこと勿論可能である。また、始点あるいは終点に特定することなく例えば、その途中の位置座標を参照することも可能である。
図２は、ゼスチャ動作に基づき操作モードを認識する際の方式を説明するための図であり、図２（Ａ）はゼスチャ動作における対角指定モードを示しており、同図において、始点１および終点２を触指する状態が対角指定モードである。
図２（Ｂ）は、ゼスチャ動作における閉じ矩形領域を指定（以下、閉じ指定という）する際の触指状態を示しており、開始位置（右上、右下、左上、左下）の判別あるいは最終的に確定する矩形の触指位置を判別する。
（３）システム制御部２では、閉じた領域を指定する際のゼスチャ動作の移動方向およびその順序を判別することにより方向数および順序数に応じた数の操作の識別を行う。
（４）（３）の識別に際して判別されるゼスチャ動作の移動方向は、右周りおよび左周りが相当し、移動順序は書き順に相当し、該書き順として触指開始位置（書き始め位置）と触指終了位置（書き終わり位置）および角を示す２点を加えた４点を一筆書きによる３本の線で指定する順序に相当し、移動方向を判別することにより２種類の操作を識別し、一筆書きの場合には、４点の書き順がＺ形、これの逆形、Ｎ形、これの逆形のいずれかであるかに基づき４種類の操作を識別して実行する。
図２（Ｃ）および（Ｄ）は、ゼスチャ動作の移動方向（以下、便宜上、閉じ順序という）および移動順序（以下、便宜上、閉領域の書き順という）、つまり書き順による領域判別状態を示す図であり、図２（Ｃ）に示す場合には右回りでのゼスチャ動作が行われ、図２（Ｄ）では始点１から終点４に至る触指順序の一例（Ｚ形）が示されている。
（５）ゼスチャ動作に基づき認識される操作項目および領域として、撮影時、重点的にピントおよびまたは露出を合わせる操作が対象とされ、その操作を実施する領域である場合に該当する操作を実行する。
（６）ゼスチャ動作により識別する操作項目および領域として、撮影時、重点的にホワイトバランスおよびまたはズームアップを行う捜査が対象とされ、その操作を実施する領域である場合に該当する操作を実行する。
【００１７】
上述した領域指定情報およびゼスチャ動作とこれにより認識される操作内容との関連は予めシステム制御部２に登録されており、（１）〜（６）に挙げた操作認識モードに対応して操作内容が選択されて実行される。
【００１８】
本実施形態は以上のような構成を用いることにより図３乃至図１１に示すフローチャートに基づき撮影に必要な操作が実行される。
図３は（１）に挙げた処理を説明するフローチャートであり、ユーザが希望する操作を実行するための入力操作としてタッチパネルを触指することにより（ＳＴ１）、タッチパネル処理部８においてタッチパネル上での触指位置を座標データに変換してシステム制御部２に座標データを転送する（ＳＴ２）。
システム制御部２では、タッチパネル処理部８から転送された座標データに基づき領域指定の判別を行い（ＳＴ３）、領域指定の入力手順（図では入力方法と表記してある）が予め登録されているゼスチャ動作に整合するか対比される（ＳＴ４）。
ステップＳＴ３において領域指定が行われていない場合には入力待機モードを継続し（ＳＴ５）、さらにステップＳＴ４においてゼスチャ動作に整合しない場合には領域指定のみを実行する（ＳＴ６）。
【００１９】
ステップＳＴ４において登録されているゼスチャ動作に対して領域指定のための入力手順が整合している場合には指定された領域とゼスチャ動作とに基づき予め割り付けられている操作を決定してその操作内容を実行する（ＳＴ７）。
【００２０】
図４は（２）に挙げた処理を説明するためのフローチャートである。なお、図４以降のフローチャートにおいて、図３に示した内容と同じ処理は同符号により示してある。
図４に示す処理が実行される際には、ステップＳＴ１〜ＳＴ３までの処理は（１）に挙げた処理と同様に実行され、ステップＳＴ３において領域指定があったと判別された場合には、領域指定の入力方法（ゼスチャ）が対角指定であるかどうかが判別される（ＳＴ８）。ステップＳＴ８において対角指定である場合にはゼスチャによる領域指定の書き出しの対角（右上、右下、左上、左下）を確認していずれかの角を判別した結果に対応して割り付けられている４種類の操作をシステム制御部２において識別し（ＳＴ９）、識別された結果に対して予め割り付け（設定）されている操作を決定してその操作内容を実行する（ＳＴ１０）。
【００２１】
図５は（３）に挙げた処理を実行するためのフローチャートであり、同図において、領域指定があると判別した場合（ＳＴ３）には、領域指定方法が、図２（Ｂ）に示した閉じ指定であるかどうかを判別する（ＳＴ１１）。閉じ指定、つまり、最終的に確定する触指位置の矩形書き出し座標が右上、右下、左上、左下のうちのいずれの角（隅）であるかを判別することにより、若しくは最終的に確定する矩形の触指位置が矩形領域のどの角（隅）であるかを判別し、その結果をシステム制御部２において識別し（ＳＴ１２）、識別結果に対応する操作内容を決定して、予め割り付けられている操作を実行する（ＳＴ１３）。
【００２２】
図６および図７は（３）および（４）に挙げた処理を実行するためのフローチャートであり、図６においては、図２（Ｃ）に示した閉じ指定での触指位置の移動方向を判別することにより、移動方向に応じた２種類の操作を実行し（ＳＴ１４，１５）、図７においては、図２（Ｄ）において始点１〜終点４に至るまでの移動順序、つまり書き出しでの３本指定の方向を確認して４種類の操作をシステム制御部２において種別した上で、予め割り付けられている操作内容を決定して操作を実行する（ＳＴ１６〜ＳＴ１８）。
【００２３】
図８は（５）に挙げた処理のうちでピント設定を行う場合のフローチャートであり、撮影モードであるかどうかがカメラ本体の電源スイッチをオンオフされたかどうか、あるいは撮影モードと表示モードとの切換スイッチによる選択動作により判別し（ＳＴ１９）、撮影モードである場合にはタッチパネル上での触指状態により得られる座標データをシステム制御部２に転送し（ＳＴ１，ＳＴ２）、転送された座標データに基づき領域指定の有無が判別される（ＳＴ３）。
【００２４】
領域指定が行われたことが判別されると領域指定の際にゼスチャ動作が対比されたどうかが判別（図では認識と表記してある）され（ＳＴ２０）、ゼスチャ動作が対比された場合には領域指定した場所を対象とするピント設定が行われると同時にゼスチャ動作の判別結果に対応する操作が決定（図では認識と表記してある）されて実行される（ＳＴ２１）。ステップＳＴ２０においてゼスチャ動作に対応した操作が判別されないでゼスチャ動作に基づく操作が決定（認識）されなかった場合には、領域指定された位置を対象とするピント設定のみが実行される（ＳＴ２２）。
【００２５】
図９は（５）に挙げた処理のうちで露出合わせ（測光）を行う場合のフローチャートであり、ステップＳＴ１９並びにステップＳＴ１〜ＳＴ３およびＳＴ２０の処理が実行され、ステップＳＴ２０においてゼスチャ動作が対比された場合には、領域指定した場所を測光対象とする動作、つまり測光が実行されると同時にゼスチャ動作の判別結果に対応する操作が決定（図では認識と表記してある）されて実行される（ＳＴ２３）。ステップＳＴ２０においてゼスチャ動作が判別されないでゼスチャ動作に基づく操作が決定（認識）されなかった場合には、領域指定された場所を対象として測光動作のみが行われる（ＳＴ２４）。
【００２６】
図１０は（６）に挙げた処理のうちでホワイトバランス調整を行う場合のフローチャートであり、ステップＳＴ２０においてゼスチャ動作が対比された場合には、領域指定された場所をホワイトバランス調整対象として設定すると同時にゼスチャ動作に基づき決定（図では認識と表記してある）された操作を実行する（ＳＴ２５）。ステップＳＴ２０においてゼスチャ動作が判別されないでゼスチャ動作に基づく操作が決定（認識）されなかった場合には、領域指定された場所に関するホワイトバランス調整のみを行なう。（ＳＴ２６）。
【００２７】
図１１は（６）に挙げた処理のうちでズーミングを行う場合のフローチャートであり、同図においてステップＳＴ２０において領域指定の際のゼスチャ動作が対比された場合には、領域指定された場所をズーミング対象としてズーミングを行うと共に、ゼスチャ動作に基づく操作が決定（図では認識と表記してある）された操作を実行する（ＳＴ２７）。ステップＳＴ２０においてゼスチャ動作が認識されなかった場合には、領域指定された場所のズーミングのみを実行する（ＳＴ２８）。
【００２８】
以上の説明から明らかなように、本実施形態では、カメラの撮影操作であるピント合わせや露光調整あるいはホワイトバランス調整をタッチパネルでのゼスチャ動作による領域指定において行えるので、タッチパネル以外の部分でのモード選択などを要することがなく、撮影時にカメラの向きを撮影目標から外して設定し直すなどの操作を要することなく極端にいえば片手操作により撮影することができるというような利便性を得ることができる。この結果、撮影時には、ファインダあるいは液晶画面で撮影目標を視認したままで撮影を行うことができるので、操作性を向上させると共に撮影チャンスを逃すなどの不具合を解消することができる。
【００２９】
【発明の効果】
請求項１および２記載の発明によれば、タッチパネル処理部においてタッチパネルでの２点の端点位置と触指軌跡を予め決められているゼスチャ動作と対比し、指定された領域から予め設定されている操作を決定する機能により領域指定と領域指定に基づく操作指定をゼスチャ動作のみで可能にすることができ、操作の利便性を向上させることが可能となる。特に、請求項２記載の発明においては、矩形領域のどの角が触指開始および終了位置であるかを判別するだけで４種類の操作を識別することができるので、一々操作の種類を指定することなくゼスチャ動作のみで操作の実行が可能となり、操作の利便性を向上させることができる。
【００３１】
請求項３および４記載の発明によれば、ゼスチャ動作の移動方向およびまたはその順序を判別して方向数および順序数に対応した数の操作を識別でき、特に請求項４記載の発明では、移動方向として右周りあるいは左回りによって、また、一筆書きの書き順によってそれぞれ２種類およびまたは４種類の操作を識別できるので、タッチパネルでのゼスチャ動作のみで撮影モードや表示条件に関する操作設定が可能となり、操作の利便性を向上させることができる。
【００３２】
請求項５記載の発明によれば、ゼスチャ動作による操作項目および領域に基づく操作が関連づけられているので、一々、モード選択のための操作を要することなく１回のゼスチャ動作により撮影時での操作内容を確定することができ操作の利便性を向上させることが可能となる。
【図面の簡単な説明】
【図１】  本発明の実施形態による撮像装置としてタッチパネル付きカメラを対象としたシステム構成を説明するためのブロック図である。
【図２】図１に示したシステム構成におけるタッチパネル上でのゼスチャ動作に相当する触指状態を説明するための図であり、（Ａ）は対角指定モードを、（Ｂ）は閉じ指定モードを、（Ｃ）は閉じ書き順指定状態を、（Ｄ）閉領域の書き順状態をそれぞれ示している。
【図３】図１に示したシステム構成に用いられるシステム制御部の作用の一つを説明するためのフローチャートである。
【図４】図１に示したシステム構成に用いられるシステム制御部の作用の他の一つを説明するためのフローチャートである。
【図５】図１に示したシステム構成に用いられるシステム制御部の作用の別の一つを説明するためのフローチャートである。
【図６】図１に示したシステム構成に用いられるシステム制御部の作用のさらに別の一つを説明するためのフローチャートである。
【図７】図１に示したシステム構成に用いられるシステム制御部の作用のさらに他の一つを説明するためのフローチャートである。
【図８】図１に示したシステム構成に用いられるシステム制御部の別の作用を説明するためのフローチャートである。
【図９】図１に示したシステム構成に用いられるシステム制御部の他の作用を説明するためのフローチャートである。
【図１０】図１に示したシステム構成に用いられるシステム制御部のさらに別の作用を説明するためのフローチャートである。
【図１１】図１に示したシステム構成に用いられるシステム制御部のさらに他の作用を説明するためのフローチャートである。
【符号の説明】
１  タッチパネル付きカメラ
２  システム制御部
８  タッチパネル処理部
【図１】
0004107568.tif 000002
【図２】
0004107568.tif 000003
【図３】
0004107568.tif 000004
【図４】
0004107568.tif 000005
【図５】
0004107568.tif 000006
【図６】
0004107568.tif 000007
【図７】
0004107568.tif 000008
【図８】
0004107568.tif 000009
【図９】
0004107568.tif 000010
【図１０】
0004107568.tif 000011
【図１１】
0004107568.tif 000012